(57)【要約】      （修正有）【課題】ドリンクホルダーとしても機能するクッションを提供する。【解決手段】椅子Ｃの座面の上に載置される矩形状のクッション部２１と、クッション部２１の一辺に連結し、椅子Ｃの地面からの高さＣＨよりも短く、椅子Ｃの座面の垂直方向へ垂らされる袋部２（前垂れ部）と、クッション部２１を椅子Ｃに対して固定する固定部４と、袋部２に形成され、飲料容器を縦にした状態で保持可能なドリンクホルダー部２２を有する。【選択図】図４
0003234328.tif 000002
【実用新案登録請求の範囲】
【請求項１】
椅子の座面の上に載置される矩形状のクッション部と、
前記クッション部の一辺に連結し、前記椅子の地面からの高さよりも短く、前記椅子の座面の垂直方向へ垂らされる前垂れ部と、
前記クッション部を前記椅子に対して固定する固定部と、
前記前垂れ部に形成され、飲料容器を縦にした状態で保持可能なドリンクホルダー部
を具備する
ドリンクホルダー付きクッション。
【請求項２】
請求項１に記載のドリンクホルダー付きクッションであって、
前記前垂れ部は、２本の持ち手を有する袋部を有し、
前記クッション部の前記一辺以外の三辺は、ファスナーを介して前記前垂れ部に対して開閉可能とされる
ドリンクホルダー付きクッション。
【請求項３】
請求項２に記載のドリンクホルダー付きクッションであって、
前記持ち手は、前記袋部に収容可能である
ドリンクホルダー付きクッション。
【請求項４】
請求項２又は３に記載のドリンクホルダー付きクッションであって、
前記固定部はベルト状に形成され、前記クッション部が前記前垂れ部に対して閉じられる際に当該クッション部と当該前垂れ部との間に収容可能である
ドリンクホルダー付きクッション。
【考案の詳細な説明】
【技術分野】
【０００１】
本技術は、ドリンクホルダー付きクッションに関する。
【背景技術】
【０００２】
野球やサッカー等のスポーツイベントや野外音楽イベントなどが開催されるスタジアムや競技場では、座席（シート）の座面が硬いプラスチックや木材などで構成されている場合がある。この場合、着座快適性が悪いので、観戦者や観客は座布団やシートクッションを使用して、着座快適性を向上させる。特許文献１に開示されている技術は、このような用途に用いられるシートクッションの先行例である。
【先行技術文献】
【特許文献】
【０００３】
【特許文献１】特表２００９−５４３６７２号公報
【考案の概要】
【考案が解決しようとする課題】
【０００４】
上記のようなスポーツ観戦においては、観戦しながら座席で飲食をすることも大きな楽しみである。ところが、椅子やベンチにドリンクホルダーが備わっていない場合、飲み物を入れる容器の置き場所に困ることがあった。
【０００５】
本考案は、上記実情に鑑みて、ドリンクホルダーとしても機能するクッションを提供することを目的とする。
【課題を解決するための手段】
【０００６】
上記目的を達成するため、本考案の一形態に係るドリンクホルダー付きクッションは、椅子の座面の上に載置される矩形状のクッション部と、前記クッション部の一辺に連結し、前記椅子の地面からの高さよりも短く、前記椅子の座面の垂直方向へ垂らされる前垂れ部と、前記クッション部を前記椅子に対して固定する固定部と、前記前垂れ部に形成され、飲料容器を縦にした状態で保持可能なドリンクホルダー部を具備する。
上記ドリンクホルダー付きクッションでは、使用者が椅子（例えばスタジアムの１人用ベンチ）に座ったときに、使用者の足のふくらはぎの後ろ側に、筒状の物品（例えば水筒やメガホンなど）を保持することができる。したがって、上記ドリンクホルダー付きクッションは、ドリンクホルダーとしても機能するクッションである。
【０００７】
本考案の一形態に係るドリンクホルダー付きクッションでは、前記前垂れ部は、２本の持ち手を有する袋部を有し、前記クッション部の前記一辺以外の三辺は、ファスナーを介して前記前垂れ部に対して開閉可能とされる。
この一形態では、上記ドリンクホルダー付きクッションは、ファスナーを介してクッション部を袋部に閉じると、持ち手を有することにより携行容易なトートバッグ等に変形できる。
【０００８】
本考案の一形態に係るドリンクホルダー付きクッションでは、前記持ち手は、前記袋部に収容可能である。
この一形態では、上記ドリンクホルダー付きクッションは、バッグの持ち手をバッグ内に収容可能になり、使用時に邪魔にならない。
【０００９】
本考案の一形態に係るドリンクホルダー付きクッションでは、前記固定部はベルト状に形成され、前記クッション部が前記前垂れ部に対して閉じられる際に当該クッション部と当該前垂れ部との間に収容可能である。
この一形態では、上記ドリンクホルダー付きクッションは、固定部が収容可能になるので、携行時に邪魔にならない。
【考案の効果】
【００１０】
本考案によれば、ドリンクホルダーとしても機能するクッションを提供することができる。
【図面の簡単な説明】
【００１１】
【図１】第１の実施形態に係るドリンクホルダー付きクッション（バッグ１）を示す斜視図である。
【図２】図１のファスナー２３を開けたバッグ１の状態を示す斜視図（その１）である。
【図３】図１のファスナー２３を開けたバッグ１の状態を示す斜視図（その２）である。
【図４】第１の実施形態に係るドリンクホルダー付きクッション（バッグ１）を椅子に取り付けて使用する状態を示す図である。
【図５】第２の実施形態の課題を説明するための図である。
【図６】第２の実施形態に係るドリンクホルダー付きクッションを示す図である。
【図７】第２の実施形態に係るドリンクホルダー付きクッションを示す図である。
【図８】他の実施形態に係るドリンクホルダー付きクッションの一例を示す図である。
【考案を実施するための形態】
【００１２】
以下、図面を参照しながら、本考案の実施形態を説明する。
【００１３】
＜第１の実施形態＞
本考案の一実施形態に係るドリンクホルダー付きクッションの構成を図１、図２、図３、図４を参照して説明する。
【００１４】
図１に示すように、本実施形態に係るドリンクホルダー付きクッションは、バッグ１として構成されている。バッグ１は、２本の持ち手３を有する袋部２を有するトートバッグの形状である。しかし、本考案は当該実施形態には限定されない。例えばバッグ１は手提げかばん、ショルダーバッグなどの形状でもよいし、バッグでなくてもよい。
【００１５】
袋部２は、矩形上のクッション部２１と、ドリンクホルダー部２２とを有し、全体としてドリンクホルダー付きクッションの前垂れ部を構成している。クッション部２１は、一辺（本実施形態では上辺）で袋部２と連結している。
【００１６】
袋部２は例えばポリエステル等の生地で袋状に形成される。ドリンクホルダー部２２は、袋部２の両サイドに合計２つ設けられ、例えばメッシュとゴムの組み合わせにより、飲料容器を縦にした状態で保持可能に形成される。また、袋部２の高さＨは、椅子Ｃの地面からの高さＣＨよりも短い長さに構成される。
【００１７】
クッション部２１の上辺を除く、残りの３辺はファスナー２３を介して袋部２（前垂れ部）に対して開閉可能に連結している。クッション部２１は、ファスナー２３を開けることにより使用可能になる。ファスナー２３を開けたバッグ１の状態を図２及び図３に示す。
【００１８】
図２及び図３に示すように、クッション部２１と袋部２（前垂れ部）との間には、収納空間があり、バッグ１はここに固定部４を収納する。固定部４は、クッション部２１を椅子に対して固定する部材である。本実施形態では、固定部４は、ベルト状に形成され、クッション部２１が前垂れ部に対して閉じられる際に、クッション部２１と袋部２（前垂れ部）との間の収納空間に収容可能である。しかし、本考案は、当該実施形態に限定されない。例えば、固定部４は、紐状に形成されてもよく、また、椅子Ｃの一部に引っ掛けるフックのような固定金具で形成されてもよい。ベルト状に形成される固定部４は、プラスチック等で形成されたバックルや留め具を含んでもよい。
【００１９】
図２及び図３に示すように、本実施形態では、ファスナー２３は、スライドファスナーで構成されている。本考案はこれに限定されず、例えば、面ファスナーでクッション部２１裏面の３辺が袋部２に張り付くように構成されてもよい。
【００２０】
なお、図３においては、図が煩雑になるのを避けるため、持ち手３の記載を省略している。
【００２１】
次に、図４を参照してバッグ１のクッションとしての使用方法を説明する。図４は、バッグ１を椅子に取り付けて使用する状態を示す斜視図である。
【００２２】
図４に示すように、バッグ１をクッションとして使用する場合、使用者は、ファスナー２３を開けて、クッション部２１を椅子Ｃの座面の上に載置する。続いて固定部４を椅子Ｃの座面に回しかける。これによりバッグ１が椅子Ｃに対して固定される。また、使用者は、袋部２（前垂れ部）を椅子Ｃの座面の垂直方向へ垂らす。使用者は袋部２の方向を前としてクッション部２１の上に座る。この状態で使用者はドリンクホルダー部２２に飲み物容器Ｂを保持させてもよい。
【００２３】
このように、本実施形態に係るバッグ１によれば、ドリンクホルダーとしても機能するクッションが提供される。
【００２４】
図４に示すように、袋部２の高さＨ（図３にて図示）は、椅子Ｃの地面Ｇからの高さよりも短い長さに構成されている。そのため、使用者が椅子（例えばスタジアムの１人用ベンチ）に座ったとき、袋部２とドリンクホルダー部２２は、地面Ｇに直接触れない、使用者の足のふくらはぎの後ろ側に垂直方向に垂れるかたちで位置することになる。このように本実施形態に係るバッグ１によれば、水筒や紙コップなどの飲み物容器Ｂを、縦（地面Ｇに対して略垂直）にした状態で、地面Ｇに直接触れない状態で保持することができる。
【００２５】
限定するものではないが、バッグ１をスポーツ観戦シーンで使用することを考えると、バッグ１はスタジアムの固定椅子の座面に取り付けて使用することができる。この場合、バッグ１は地面に直接触れず、飲み物容器Ｂを縦にした状態で保持することができるため、汚れや飲みこぼしなどから所持品を守ることができる。また、バッグ１はクッション２１を有しているため、長時間の観戦でも疲れを軽減させることができる。また、袋部２を有するバッグ１として構成されており、所持品をまとめておくことができる。このように本実施形態に係るバッグ１は、ドリンクホルダー、クッション、所持品を入れておく袋としての機能を併せ持ち、快適なスポーツ観戦をサポートすることができる。
【００２６】
また、バッグ１は、図４に示すようなドリンクホルダー付きクッションとして機能する状態から、ファスナー２３を介してクッション部２１を袋部２に収納することで、図１に示すような携行容易なトートバッグの形態に変形できる。本実施形態では、固定部４はベルト状に形成され、クッション部２１が袋部２（前垂れ部）に対して閉じられる際に当該クッション部２１と袋部２との間に収容可能であるため、固定部４が収容可能になるので、携行時に邪魔にならない。
【００２７】
上記実施形態は、さまざまな変形実施が可能である。前述のように、上記実施形態ではファスナー２３をスライドファスナーで構成したが、変形実施形態では面ファスナーで構成してもよい。この場合、材料費や工賃が抑えられ、コスト面で有利である。
【００２８】
＜第２の実施形態＞
さらに上記実施形態の変形例として、持ち手３を、袋部２に収容可能に構成してもよい。図５に示すように、バッグ１をクッションとして用いる際、持ち手３がクッション部２１の上に置かれ、邪魔になる可能性がある。そこで第２の実施形態では、持ち手３を袋部２内に収納可能とする。図６と図７に本実施形態のバッグ１Ａを示す。
【００２９】
本実施形態では、第１の実施形態の持ち手３を紐状持ち手３Ａとして構成する。図６は、紐状持ち手３Ａを使用するために外部へ繰り出した状態を示し、図７は、紐状持ち手３Ａを袋部２の内部に収容している状態を示す。
【００３０】
本実施形態では、紐状持ち手３Ａの両端に留め具や玉結びによる玉止め（不図示）を設けるとともに、紐状持ち手３の袋部２への取付部を上記留め具や玉止めよりも径の小さい孔２６で構成する。紐状持ち手３Ａの径は、上記孔２６よりも小さくする。このように構成すると、バッグ１を携行する場合には紐状持ち手３の両端が孔２６で係止され使用可能となるとともに、バッグ１を椅子の座面に取り付けて使用する場合には紐状持ち手３Ａの両端部分（孔２６間に露出する部分以外の部分）をバッグ１Ａ内に収容可能になる。本第２の実施形態によれば、紐状持ち手３Ａが袋部２に収容可能に構成されるため、スタジアムクッションとしての使用時に紐状持ち手３Ａがクッション２１の上に伸びて座りにくい、邪魔になるということがない。
【００３１】
＜その他の実施形態＞
本考案はさらに他の形態によっても実施できる。上記第１、第２の実施形態では、前垂れ部を袋状に構成して、全体をバッグ１としたが、本考案はこれに限定されない。図８に示す実施形態に係るドリンクホルダー付きクッション１Ｂは、前垂れ部２Ｂを袋状ではなくクッション部２１と同様に面状に構成している。クッション部２１、ドリンクホルダー部２２、ファスナー２３、固定部４については上記第１、第２の実施形態と同様の構成である。このような実施形態によってもスタジアム等での観戦に適したドリンクホルダー付きクッションを提供することができる。
【００３２】
＜付記＞
なお、上記、第１、第２の実施形態においては、袋部２の高さＨを、椅子Ｃの地面Ｇからの高さＣＨよりも短いと規定した。本考案でいう「地面からの高さ」は、厳密に地面、すなわち地球の地表からの高さのみを意味するのではなく、椅子の足の最も低いところを典型とする趣旨である。本考案を限定するものではないが、袋部２の高さＨは、一般的なスタジアムのいす、ベンチの地面からの高さよりも短い、３００ｍｍなどの長さに設計してもよい。
【００３３】
なお、本考案は上記の実施形態には限定されない。本考案は、その技術思想の範囲内で
様々に変形又は応用して実施することができる。そのような実施の範囲も本考案の技術的
範囲に属する。
【符号の説明】
【００３４】
１  バッグ
２  袋部
３  持ち手
４  固定部
２１  クッション部
２２  ドリンクホルダー部
２３  ファスナー
Ｃ  椅子
Ｈ  袋部２の高さ
ＣＨ  椅子の地面からの高さ
【図１】
0003234328.tif 000003
【図２】
0003234328.tif 000004
【図３】
0003234328.tif 000005
【図４】
0003234328.tif 000006
【図５】
0003234328.tif 000007
【図６】
0003234328.tif 000008
【図７】
0003234328.tif 000009
【図８】
0003234328.tif 000010